(57)【要約】  協調マルチポイント（ＣｏＭＰ）伝送においてチャネル状態情報のフィードバック・オーバヘッドを減らすために、本発明は、ＣｏＭＰ伝送においてチャネル状態を決定する方法であって、サービスを提供する基地局が、サービスを提供する基地局により第１のチャネル状態情報を、および協調基地局のそれぞれにより、ユーザ装置によってフィードバックされた第２のチャネル状態情報を受信する、方法を提供し、対応する第２のチャネル状態情報について、各協調基地局に通知し、それぞれ協調基地局のそれぞれによって送信されたプリコーディングされた第２の参照信号と重畳される第１の参照信号を第１のチャネル状態情報によりプリコーディングして協調基地局とともに共同で使用される通信リソースでプリコーディングされた第１の参照信号をユーザ装置に送信し、重畳された参照信号によりユーザ装置によってフィードバックされた第３のチャネル状態情報を受信し、第１、第２、および第３のチャネル状態情報により、ユーザ装置に対応する協調マルチポイント伝送のチャネル状態を決定する。
2014506086.tif 000002
【特許請求の範囲】
【請求項１】
サービスを提供する基地局において、チャネル状態を決定する方法であって、前記サービスを提供する基地局は、少なくとも１つの協調基地局とともに協調マルチポイント伝送を実行し、前記方法は、
セル固有のシグナリングを通じて、対応する通信リソースで前記サービスを提供する基地局によって送信された第１の参照信号を測定するためにユーザ装置に通知するステップであって、前記第１の参照信号は、前記ユーザ装置が第１のチャネル状態情報を決定するために使用される、ステップと、
前記対応する通信リソースで前記第１の参照信号を送信するステップと、
セル固有のシグナリングを通じて、対応する通信リソースで協調基地局のそれぞれによってそれぞれ送信された第２の参照信号を測定するために前記ユーザ装置に通知するステップであって、前記第２の参照信号は、前記ユーザ装置が第２のチャネル状態情報を決定するために使用される、ステップと、
ａ．  前記ユーザ装置によってフィードバックされた前記第１のチャネル状態情報および第２のチャネル状態情報のそれぞれを受信するステップと
を含む方法。
【請求項２】
前記方法において、
ｂ．  前記対応する第２のチャネル状態情報について、各協調基地局にそれぞれ通知するステップと、
ｃ．  前記第１のチャネル状態情報により第３の参照信号をプリコーディングし、前記協調基地局とともに共同で使用される前記通信リソースで前記ユーザ装置に前記プリコーディングされた第３の参照信号を送信するステップであって、前記第３の参照信号は、協調基地局のそれぞれによってそれぞれ送信されたプリコーディングされた第４の参照信号と重畳される、ステップと、
ｄ．  前記重畳された参照信号により前記ユーザ装置によってフィードバックされた第３のチャネル状態情報を受信し、前記第１、第２、および第３のチャネル状態情報により、前記ユーザ装置に対応する前記協調マルチポイント伝送のチャネル状態を決定するステップと
をさらに含むことを特徴とする請求項１に記載の方法。
【請求項３】
前記方法において、
前記サービスを提供する基地局および前記協調基地局が前記第１および第２の参照信号を送信する前記通信リソースは、それぞれ固有であることを特徴とする請求項１に記載の方法。
【請求項４】
前記方法において、
ステップｃの前に、
セル固有またはユーザ装置固有のシグナリングを通じて、前記共同通信リソースで前記重畳された第３および第４の参照信号を受信するために、前記ユーザ装置に通知するステップ
をさらに含むことを特徴とする請求項２に記載の方法。
【請求項５】
前記方法において、
前記第１のチャネル状態情報のランクを決定するステップと、
前記第１のチャネル状態情報の前記ランクにより前記第３の参照信号の量またはポート数を決定するステップと
をさらに含むことを特徴とする請求項２に記載の方法。
【請求項６】
前記方法において、
ＭＵ−ＭＩＭＯに対して使用され、複数のユーザ装置のそれぞれについて、前記協調マルチポイント伝送の前記対応するチャネル状態をそれぞれ決定し、
ｅ．  前記ユーザ装置のそれぞれの前記協調マルチポイント伝送の前記チャネル状態に基づいて、前記複数のユーザ装置のマルチユーザ・プリコーディング行列を決定するステップ
をさらに含むことを特徴とする請求項２に記載の方法。
【請求項７】
協調基地局のチャネル状態フィードバックを制御する方法であって、前記協調基地局は、サービスを提供する基地局とともに協調マルチポイント伝送を実行し、前記方法は、
ｉ．  前記サービスを提供する基地局から、ユーザ装置と前記協調基地局との間の第２のチャネル状態情報を受信するステップと、
ｉｉ．  前記第２のチャネル状態情報により第４の参照信号をプリコーディングし、前記サービスを提供する基地局とともに共同で使用される通信リソースで前記ユーザ装置に前記プリコーディングされた第４の参照信号を送信するステップであって、前記第４の参照信号は、前記サービスを提供する基地局によってそれぞれ送信された、プリコーディングされた第３の参照信号と重畳されるステップと
を含む方法。
【請求項８】
前記方法において、
ステップｉの前に、
前記ユーザ装置が対応する通信リソースで前記第２のチャネル状態情報を決定するために、第２の参照信号を前記ユーザ装置に送信するステップ
をさらに含むことを特徴とする請求項７に記載の方法。
【請求項９】
前記方法において、
前記第２のチャネル状態情報のランクを決定するステップと、
前記第２のチャネル状態情報の前記ランクにより前記第４の参照信号の量またはポート数を決定するステップと
をさらに含むことを特徴とする請求項７に記載の方法。
【請求項１０】
ユーザ装置のチャネル状態をフィードバックする方法であって、前記ユーザ装置が属するサービスを提供する基地局は、少なくとも１つの協調基地局とともに協調マルチポイント伝送を実行する、方法において、
ｒ．  対応する通信リソースで前記サービスを提供する基地局によって送信された第１の参照信号を受信するために前記ユーザ装置に指示する命令を受信するステップであって、前記命令は、セル固有のシグナリングを通じて、前記サービスを提供する基地局によって送信される、ステップと、
ｓ．  対応する通信リソースで協調基地局のそれぞれによってそれぞれ送信された第２の参照信号を受信するために前記ユーザ装置に指示する命令を受信するステップであって、前記命令は、セル固有のシグナリングを通じて、前記サービスを提供する基地局によって送信される、ステップと、
ｔ．  前記第１の参照信号により前記サービスを提供する基地局と第１のチャネル状態情報を決定し、前記第２の参照信号のそれぞれの１つにより協調基地局のそれぞれと第２のチャネル状態情報をそれぞれ決定するステップと、
ｕ．  前記サービスを提供する基地局に前記第１および第２のチャネル状態情報をフィードバックするステップと
を含む方法。
【請求項１１】
前記方法において、
ｖ．  前記サービスを提供する基地局および前記協調基地局によって共同で使用される通信リソースで、前記サービスを提供する基地局によってプリコーディングされた第３の参照信号および協調基地局のそれぞれによってそれぞれプリコーディングされた第４の参照信号によって重畳される参照信号を受信し、前記参照信号により第３のチャネル状態情報を決定するステップと、
ｗ．  前記サービスを提供する基地局に前記第３のチャネル状態情報をフィードバックするステップと
をさらに含むことを特徴とする請求項１０に記載の方法。
【請求項１２】
前記方法において、
前記ユーザ装置は、前記サービスを提供する基地局および前記協調基地局各々のそれぞれに固有の通信リソースで、前記第１の参照信号および第２の参照信号のそれぞれを受信することを特徴とする請求項１０に記載の方法。
【請求項１３】
サービスを提供する基地局においてユーザ装置に参照信号を送信する方法であって、前記サービスを提供する基地局は、少なくとも１つの協調基地局とともに協調マルチポイント伝送を実行し、前記方法は、
前記協調基地局とともに共同で使用される通信リソースで前記参照信号を送信するステップを含み、
前記共同で使用される通信リソースは、物理的なダウンリンク共有チャネルのミュートされたリソース要素を利用する、
方法。
【請求項１４】
協調基地局においてユーザ装置に参照信号を送信する方法であって、前記協調基地局は、サービスを提供する基地局とともに協調マルチポイント伝送を実行し、前記方法は、
前記サービスを提供する基地局とともに共同で使用される通信リソースで前記参照信号を送信するステップを含み、
前記共同で使用される通信リソースは、物理的なダウンリンク共有チャネルのミュートされたリソース要素を利用する、
を含む方法。
【請求項１５】
ユーザ装置の基地局によって送信された参照信号を受信する方法であって、前記ユーザ装置が属するサービスを提供する基地局は、少なくとも１つの協調基地局とともに協調マルチポイント伝送を実行し、前記方法は、
前記サービスを提供する基地局および前記協調基地局によって共同で使用される通信リソースで前記参照信号を受信するステップを含み、
前記共同で使用される通信リソースは、物理的なダウンリンク共有チャネルのミュートされたリソース要素を利用する、
を含む方法。
【発明の詳細な説明】
【技術分野】
【０００１】
本発明は、ワイヤレス通信技術、特に協調マルチポイント伝送技術に関する。
【背景技術】
【０００２】
ＣｏＭＰ（協調マルチポイント）伝送技術は、セルエッジ・ユーザの経験を改善するために候補となる技法を提供する。ＣｏＭＰ技術の主な課題には、バックホール遅延、バックホール容量、ＤＬ（ダウンリンク）ＣＳＩ（チャネル状態インジケータ）のフィードバックなどが含まれている。課題の中で最も大きな問題は、複数セルの伝送信号をＵＥ（ユーザ装置）側で本質的に組み合わせるという、ＣｏＭＰ技術の目的から生じている。
【０００３】
典型的なＪＰ（共同プロセス）ＣｏＭＰでは、ＵＥは、それ自身とすべてのＣｏＭＰセルとの間のＤＬ  ＣＳＩを報告する必要がある。これは、ＫＭ×Ｎ行列と見なすことができ、Ｋ、Ｍ、Ｎはそれぞれ、セル数、セルごとのアンテナ数、およびＵＥのアンテナ数である。この種のＣＳＩフィードバックは、ｅＮＢ（発展型ノードＢ）側でのグローバルなプリコーディングの可能性を提供することができる。しかし、フィードバック・オーバヘッドおよびコードブック検索の複雑さが大きすぎるため、受け入れられない可能性がある。
【０００４】
より緩い条件は、ＵＥに、Ｋセルのそれぞれについて独立したＭ×Ｎ行列をフィードバックさせて、マクロダイバーシティ伝送を実行させることである。セル間のＣＳＩ位相／振幅関係を表すために、複数の追加的なビットを使用することができる。セル間のフィードバックでは、ＵＥはアクティブなＣｏＭＰセットを認識する必要があり、これは、スケジューリングの設定の柔軟性に影響し、結果としてフィードバックが多くなりすぎる可能性がある。
【０００５】
ＬＴＥ  ３ＧＰＰ  Ｒ１０（リリース１０）では、ＣＳＩ−ＲＳ（ＣＳＩ参照信号）ＲＥ（リソース要素）でセル間干渉を排除するために、ＰＤＳＣＨミューティング技術が業界で合意されている。これは、ミュートされたＲＥで一部のリソースが浪費されていることを意味する。たとえば、図１のリソース割当てに示しているように、影を付けた部分は、ＣＲＳ（共通参照信号）によって占められたリソースを示し、スラッシュ部分は、サービスを提供するセルのＣＳＩ−ＲＳによって占められたリソースを示し、逆スラッシュ部分は、ミュートされたリソースを示している。ＣｏＭＰ伝送について、出願人が出願した中国特許出願第２０１０１０２５３１１１．５号に開示されているように、ＣＳＩ−ＲＳは複数のセルによって協調的に伝送することができる。
【先行技術文献】
【特許文献】
【０００６】
【特許文献１】中国特許出願第２０１０１０２５３１１１．５号
【発明の概要】
【課題を解決するための手段】
【０００７】
したがって、本発明は、ＰＤＳＣＨミューティングによって引き起こされるアイドル状態のＲＥを利用できることを提案する。協調ＣＳＩ−ＲＳは、サービスを提供するセルのＣＳＩ−ＲＳによって占められた位置（すなわち通信リソース）または隣接セルのＣＳＩ−ＲＳによって占められた位置に位置することができ、これは、図１の逆スラッシュ部分を使用できるように、特にＣｏＭＰのためにサービスを提供する仮想化されたセルＩＤと組み合わせることができる。仮想化されたセルＩＤは、ＣｏＭＰ協調グループの識別と見なすことができ、２つの部分から構成される。第１の部分は、９つのセルなど、協調的にスケジューリングするセル・グループであり、第２の部分は、３つのセルなど、協調的にスケジューリングするセル・グループ内で協調的に伝送するセル・グループである。
【０００８】
ミュートされたＲＥまたはサービスを提供するセルのＣＳＩ−ＲＳ  ＲＥに位置する前述の協調ＣＳＩ−ＲＳに基づいて、本発明は、２レベルのＣＳＩフィードバック技術を提供する。
【０００９】
第１のステップで、サービスを提供するセルについて、ＵＥは、従来の方法で長期的なＣＳＩなど第１のレベルのＣＳＩを報告する。ＣｏＭＰ報告セット内の協調セル（すなわち、サービスを提供しないセル）について、ＵＥは、ＣＳＩ−ＲＳまたはＣＲＳにより、長期／広帯域ＰＭＩ（プリコーディング行列インジケータ）など第１のレベルのＣＳＩを報告する。
【００１０】
第２のステップで、ＵＥは、複数のセルにより協調して伝送された追加的な参照信号により、短期／狭帯域ＲＩ（ランク指示）／ＰＭＩ／ＣＱＩ（チャネル品質インジケータ）など第２のステップのＣＳＩを報告する。
【００１１】
追加的なＲＳは、特に示されたＣＳＩ−ＲＳ（セル固有のサブフレームを超える）、アイドル状態の（すなわち、予約されており、現在の標準では使用されていない）ＤＭＲＳ（復調用ＲＳ）、または新しく規定されたＲＳでもよく、これは、狭帯域および／または広帯域でもよい。ＣｏＭＰ伝送点、すなわちサービスを提供する基地局および協調基地局は、報告された第１のレベルのＣＳＩ（およびセルにサービスを提供するための可能な短期的なＣＳＩ）により追加的なＲＳのためにプリコーディングを実行し、ＵＥに送信する。次に、基地局は、重畳されたプリコーディングＲＳによりＵＥによってフィードバックされた、第２のレベルのＣＳＩを収集し、実際のデータ伝送のために最終的なＣｏＭＰ伝送のチャネル状態を決定する。
【００１２】
ＵＥ固有のＤＬシグナリングは、重畳されたプリコーディングＲＳが送信される通信リソースである、第２のレベルのＣＳＩを生成するためにＣＳＩ−ＲＳリソースを示すために利用することができる。
【００１３】
サービスを提供するセルは、必要なＣＳＩ−ＲＳアンテナ・ポート（すなわち数）を減らすために、報告された第１のレベルのＰＭＩのアイゲンベクトルのみを使用することができる。
【００１４】
２レベルのフィードバックは、事実上、単一のセルを対象としており、ＵＬオーバヘッドをさらに減らすために、たとえば狭帯域フィードバックなど、第２のレベルのフィードバックはより短期的であるため、この解決策の重要な部分は、ＵＬ（アップリンク）オーバヘッドを減らすことである。
【００１５】
具体的には、本発明の一態様によると、サービスを提供する基地局で、チャネル状態を決定する方法が提供され、サービスを提供する基地局は、少なくとも１つの協調基地局とともに協調マルチポイント伝送を実行し、方法は、
−  セル固有のシグナリングを通じて、対応する通信リソースでサービスを提供する基地局によって送信された第１の参照信号を測定するためにユーザ装置に通知するステップであって、第１の参照信号は、ユーザ装置が第１のチャネル状態情報を決定するために使用される、ステップと、
−  対応する通信リソースで第１の参照信号を送信するステップと、
−  セル固有のシグナリングを通じて、対応する通信リソースで協調基地局のそれぞれによってそれぞれ送信された第２の参照信号を測定するためにユーザ装置に通知するステップであって、第２の参照信号は、ユーザ装置が第２のチャネル状態情報を決定するために使用される、ステップと、
ａ．  ユーザ装置によってフィードバックされた第１のチャネル状態情報および第２のチャネル状態情報のそれぞれを受信するステップと
を含む。
【００１６】
好ましい実施形態では、第１および第２のチャネル状態情報のフィードバックが、たとえば長期的な状態である場合、セル固有のシグナリングは、たとえばブロードキャストの形で測定するためにＵＥに通知するために使用され、これによって、シグナリング・オーバヘッドをより良好に減らすことができる。
【００１７】
好ましい一実施形態によると、方法は、
ｂ．  対応する第２のチャネル状態情報について、各協調基地局にそれぞれ通知するステップと、
ｃ．  第１のチャネル状態情報により第３の参照信号をプリコーディングし、協調基地局とともに共同で使用される通信リソースでユーザ装置にプリコーディングされた第３の参照信号を送信するステップであって、第３の参照信号は、協調基地局のそれぞれによってそれぞれ送信されたプリコーディングされた第４の参照信号と重畳されるステップと、
ｄ．  重畳された参照信号によりユーザ装置によってフィードバックされた第３のチャネル状態情報を受信し、第１、第２、および第３のチャネル状態情報により、ユーザ装置に対応する協調マルチポイント伝送のチャネル状態を決定するステップと
をさらに含む。
【００１８】
前述の好ましい実施形態によると、協調マルチポイント伝送のチャネル状態は、情報量がより少ない第１、第２、および第３のチャネル状態情報によって示され、これによって、チャネル状態測定およびフィードバックによって引き起こされたオーバヘッドが減る。
【００１９】
好ましい一実施形態では、ステップａの前に、方法は、サービスを提供する基地局に固有の通信リソースで第１のチャネル状態情報をＵＥが決定するために、第３のＲＳをＵＥに送信するステップをさらに含む。好ましい実施形態では、第１のチャネル状態情報は、基地局によって送信された第３のＲＳによりＵＥによって決定される。
【００２０】
他の好ましい実施形態では、第３のＲＳを送信する前に、方法は、
−  セル固有のシグナリングを通じて、サービスを提供する基地局に固有の通信リソースで第３のＲＳを測定するためにＵＥに通知するステップをさらに含む。
【００２１】
ステップａの前に、方法は、
−  第２のチャネル状態情報を決定するために、セル固有のシグナリングを通じて、協調基地局のそれぞれに対してそれぞれ固有の通信リソースで協調基地局のそれぞれによってそれぞれ送信された第４の参照信号を測定するためにＵＥに通知するステップ
をさらに含む。
【００２２】
好ましい実施形態では、第１および第２のチャネル状態情報のフィードバックは、たとえば長期的な状態であるため、セル固有のシグナリングは、たとえばブロードキャストの形で測定するためにＵＥに通知するために使用される。これによって、シグナリング・オーバヘッドをより良好に減らすことができる。
【００２３】
他の好ましい実施形態では、ステップｃの前に、方法は、セル固有またはユーザ装置固有のシグナリングを通じて、共同通信リソースで重畳された第３および第４の参照信号を受信するためにＵＥに通知するステップをさらに含む。ＵＥは、短期／狭帯域状態を測定するために重畳されたＲＳを受信するため、サービスを提供する基地局は、ＵＥ固有のシグナリングを通じて通知することができる。このため、フィードバック速度は比較的速い。
【００２４】
他の好ましい実施形態では、方法は、ＭＵ−ＭＩＭＯに対して使用され、複数のユーザ装置のそれぞれについて、協調マルチポイント伝送の対応するチャネル状態をそれぞれ決定し、方法は、
ｅ．  ユーザ装置のそれぞれの協調マルチポイント伝送のチャネル状態に基づいて、複数のユーザ装置のマルチユーザ・プリコーディング行列を決定するステップ
をさらに含む。
【００２５】
好ましい実施形態では、方法は、ＭＵ−ＭＩＭＯに使用され、これにより、ＭＵ−ＭＩＭＯのチャネル状態フィードバックのオーバヘッドが大幅に減る。
【００２６】
本発明の第２の態様によると、協調基地局で、チャネル状態フィードバックを制御する方法が提供され、協調基地局は、サービスを提供する基地局とともに協調マルチポイント伝送を実行し、方法は、
ｉ．  サービスを提供する基地局から、ユーザ装置と協調基地局との間の第２のチャネル状態情報を受信するステップと、
ｉｉ．  第２のチャネル状態情報により第４の参照信号をプリコーディングし、サービスを提供する基地局とともに共同で使用される通信リソースでユーザ装置にプリコーディングされた第４の参照信号を送信するステップであって、第４の参照信号は、サービスを提供する基地局によってそれぞれ送信されたプリコーディングされた第３の参照信号と重畳されるステップと
を含む。
【００２７】
本発明の第３の態様によると、ユーザ装置で、チャネル状態をフィードバックする方法が提供され、ユーザ装置が属するサービスを提供する基地局は、少なくとも１つの協調基地局とともに協調マルチポイント伝送を実行し、方法は、
ｒ．  対応する通信リソースでサービスを提供する基地局によって送信された第１の参照信号を受信するためにユーザ装置に指示する命令を受信するステップであって、命令は、セル固有のシグナリングを通じてサービスを提供する基地局によって送信されるステップと、
ｓ．  対応する通信リソースで協調基地局のそれぞれによってそれぞれ送信された第２の参照信号を受信するためにユーザ装置に指示する命令を受信するステップであって、命令は、セル固有のシグナリングを通じてサービスを提供する基地局によって送信されるステップと、
ｔ．  第１の参照信号によりサービスを提供する基地局と第１のチャネル状態情報を決定し、第２の参照信号のそれぞれの１つにより協調基地局のそれぞれと第２のチャネル状態情報をそれぞれ決定するステップと、
ｕ．  サービスを提供する基地局に第１および第２のチャネル状態情報をフィードバックするステップと
を含む。
【００２８】
本発明の他の態様によると、サービスを提供する基地局においてユーザ装置に参照信号を送信する方法が提供され、サービスを提供する基地局は、少なくとも１つの協調基地局とともに協調マルチポイント伝送を実行し、方法は、
−  協調基地局とともに共同で使用される通信リソースで参照信号を送信するステップであって、
共同で使用される通信リソースは、物理的なダウンリンク共有チャネルのミュートされたリソース要素を利用するステップ
を含む。
【００２９】
さらに、また、協調基地局においてユーザ装置に参照信号を送信する方法が提供され、協調基地局は、サービスを提供する基地局とともに協調マルチポイント伝送を実行し、方法は、
−  サービスを提供する基地局とともに共同で使用される通信リソースで参照信号を送信するステップであって、
共同で使用される通信リソースは、物理的なダウンリンク共有チャネルのミュートされたリソース要素を利用するステップ
を含む。
【００３０】
さらに、また、ユーザ装置で基地局によって送信された参照信号を受信する方法が提供され、ユーザ装置が属するサービスを提供する基地局は、少なくとも１つの協調基地局とともに協調マルチポイント伝送を実行し、方法は、
−  サービスを提供する基地局および協調基地局によって共同で使用される通信リソースで参照信号を受信するステップであって、
共同で使用される通信リソースは、物理的なダウンリンク共有チャネルのミュートされたリソース要素を利用するステップ
を含む。
【００３１】
前述の態様では、物理的なダウンリンク共有チャネルのミュートされたリソース要素が使用され、これにより、リソースの利用率が改善される。
【００３２】
本発明の前述の特徴および他の特徴は、以下の実施形態に明示的に示されるだろう。
【００３３】
以下の図に関して限定を目的としない実施形態の詳細な説明を読むことで、本発明の他の特徴、目的、および利点が明白になるだろう。
【図面の簡単な説明】
【００３４】
【図１】本発明の一態様による、ＣｏＭＰ  ＣＳＩフィードバックのＣＳＩ−ＲＳの通信リソースを示す概略図である。
【図２】本発明の一実施形態および従来技術の性能シミュレーションを示すグラフである。
【発明を実施するための形態】
【００３５】
以下に、ＳＵ−ＭＩＭＯにおける本発明の発明概念の適用について、２つの実施形態において詳細に記述し、その後に、ＭＵ−ＭＩＭＯにおける本発明の適用モードについて説明する。
【００３６】
実施形態１
本実施形態では、次のようなＣｏＭＰシナリオで例示される：３つのセルがあり、それぞれが４つの送信アンテナＴｘを備えた基地局によって支配されている。１つのサービスを提供するセルおよび２つの協調セル（サービスを提供しないセル）が含まれ、サービスを提供するセルは、２つの受信アンテナＲｘを有する１つのＣｏＭＰ  ＵＥにサービスを提供し、通信方式はＦＤＤである。
【００３７】
まず、サービスを提供するセルの、サービスを提供する基地局は、サービスを提供する基地局との第１のチャネル状態情報をＵＥが決定するために、特定の通信リソースで、第１のＲＳをＵＥに送信する。さらに、各協調基地局は、１つの協調基地局との第２のチャネル状態情報をＵＥが決定するために、特定の通信リソースで、第２のＲＳをそれぞれＵＥに送信する。
【００３８】
この前に、好ましくは、サービスを提供する基地局は、セル固有のシグナリングを通じて、サービスを提供する基地局に固有の通信リソースで第１の参照信号を測定するためにＵＥに通知し、セル固有のシグナリングを通じて、協調基地局のそれぞれに固有の通信リソースで協調基地局のそれぞれによって送信された第２の参照信号をそれぞれ測定するためにユーザ装置に通知する。ＵＥは、これらの通知を受信する。たとえば、セル固有のシグナリングはＳＩＢ−２シグナリングである。第１および第２のチャネル状態情報のフィードバックは、長期的な状態であるため、たとえば、セル固有のシグナリングは、たとえばブロードキャストの形で測定するためにＵＥに通知するために使用され、これによって、シグナリング・オーバヘッドをより良好に減らすことができる。
【００３９】
第１のＲＳを受信した後、ＵＥは、サービスを提供する基地局との第１のチャネル状態情報を決定し、サービスを提供する基地局に第１のチャネル状態をフィードバックする。また、第２のＲＳを受信した後、ＵＥは、協調基地局のそれぞれとの第２のチャネル状態情報を決定し、サービスを提供する基地局に第２のチャネル状態情報をフィードバックする。参照信号によりチャネル状態情報を決定する方法は当業者に知られているため、ここではさらに繰り返さない。
【００４０】
好ましくは、フィードバック量を減らすために、サービスを提供する基地局は、チャネル行列Ｈに従ってＣｏＭＰセルの第１のレベルのＰＭＩのランクを決定し、ここで、サービスを提供するセルのランクは２になり、協調セルのそれぞれのランクは１になる。
【００４１】
次に、サービスを提供する基地局について、ＵＥは、たとえば、サービスを提供する基地局とのＰＭＩ
【００４２】
【数１】
2014506086.tif 000003
を報告するなど、報告のために従来の解決策を使用することができる。これは狭帯域でもよく、この行列
【００４３】
【数２】
2014506086.tif 000004
の大きさは、サービスを提供する基地局の送信アンテナの４番および前述のランク２に従う。協調基地局について、ＵＥは、協調基地局との広帯域ＰＭＩ
【００４４】
【数３】
2014506086.tif 000005
（またはＲ１０  ８Ｔｘの長期的なＰＭＩ）を報告し、行列
【００４５】
【数４】
2014506086.tif 000006
の大きさは、サービスを提供する基地局の送信アンテナの４番および前述のランク１に従う。
【００４６】
その後、サービスを提供する基地局は、第２のチャネル状態情報
【００４７】
【数５】
2014506086.tif 000007
のそれぞれについて、対応する協調基地局にそれぞれ通知する。協調基地局のそれぞれは、サービスを提供する基地局から第２のチャネル状態情報を受信する。
【００４８】
その後、第１のレベルのサービスを提供する基地局のＰＭＩのランクが２である場合、サービスを提供する基地局は、２つの参照信号ポートを割り当てることができる。すなわち、第３の参照信号［ｓ１，ｓ２］が割り当てられる。
【００４９】
さらに、第１のレベルの協調基地局のそれぞれのＰＭＩのランクが１である場合、協調基地局のそれぞれは、１つの参照信号ポートをそれぞれ割り当てることができ、すなわち、第４の参照信号ｓ３およびｓ４がそれぞれ割り当てられる。
【００５０】
次に、サービスを提供する基地局は、第１のチャネル状態情報
【００５１】
【数６】
2014506086.tif 000008
により第３の参照信号をプリコーディングする。協調基地局のそれぞれは、第２のチャネル状態情報により第４の参照信号をプリコーディングする。さらに、サービスを提供する基地局および協調基地局は、プリコーディングされた第３の参照信号および第４の参照信号のそれぞれを共同で相互に使用される通信リソースで、ＵＥにそれぞれ送信し、第３の参照信号は、第４の参照信号のそれぞれに重畳される。チャネル状態情報により参照信号をプリコーディングする方法は、当業者に知られている技術的手段であり、本明細書ではそれをさらに繰り返さない。
【００５２】
この前に、好ましくは、共同通信リソースで重畳された第３および第４の参照信号を受信するために、サービスを提供する基地局は、セル固有またはユーザ装置固有のシグナリングを通じて、ＵＥに通知する。重畳されたＲＳをＵＥが受信することは、短期／狭帯域状態を測定する必要があるため、サービスを提供する基地局は、ＵＥ固有のシグナリングを通じて通知できる。このため、フィードバック速度は比較的速い。
【００５３】
したがって、ＵＥは、重畳されたプリコーディングされた第３の参照信号、およびすべての第４の参照信号を受信し、たとえばＰＭＩωなど、第３のチャネル状態情報（すなわち第２のレベルのＣＳＩ）を決定する。ωは、サービスを提供するセルのチャネル行列と協調セルのチャネル行列との間の位相オフセットを表している。受信された重畳された参照信号により第３のチャネル状態情報をＵＥが決定する方法は、出願人によって出願された中国特許出願第２０１０１０２５３１１１．５号に記述されており、この出願に記録されている関連する技術的内容は、本出願に完全に組み込まれている。
【００５４】
次に、ＵＥは、サービスを提供する基地局にＰＭＩωをフィードバックする。
【００５５】
最後に、サービスを提供する基地局は、これら３つのセル
【００５６】
【数７】
2014506086.tif 000009
の最終ＰＭＩを回復する。式中、ω（１：２，：）は、ωの要素の最初の２行を示し、ω（３，：）は、ωの要素の３行目を示し、ω（４，：）は、ωの要素の４行目を示している。
【００５７】
あるいは、３つの参照信号ポートｓ１、ｓ２、ｓ３を割り当てることができる。サービスを提供する基地局は、
【００５８】
【数８】
2014506086.tif 000010
を使用して参照信号ｓ１をプリコーディングし、
【００５９】
【数９】
2014506086.tif 000011
は、
【００６０】
【数１０】
2014506086.tif 000012
の要素の１列目を示している。２つの協調基地局が、
【００６１】
【数１１】
2014506086.tif 000013
を使用して参照信号ｓ２およびｓ３をそれぞれプリコーディングする。
【００６２】
ＵＥは、前述のプリコーディングされた参照信号の重畳により第３のチャネル状態情報ＰＭＩωをフィードバックする。特に、ω＝［ω１  ω２］は、サービスを提供するセルのチャネル行列と協調セルのチャネル行列との間の位相オフセットを記述している。
【００６３】
最後に、サービスを提供するセルは、これら３つのセル
【００６４】
【数１２】
2014506086.tif 000014
の最終ＰＭＩを回復する。
【００６５】
実施形態２
本実施形態では、次のようなＣｏＭＰシナリオで説明される：２つのセルがあり、これらは、４つの送信アンテナＴｘを備えた１つの基地局によってそれぞれ支配されている。１つのサービスを提供するセルおよび１つの協調セル（サービスを提供しないセル）が含まれており、サービスを提供するセルは、２つの受信アンテナＲｘを有する１つのＣｏＭＰ  ＵＥにサービスを提供し、通信方式はＦＤＤである。
【００６６】
前述の実施形態と同様に、サービスを提供するセルは、ＣｏＭＰセルのランクを決定し、サービスを提供するセルおよび協調セルのランクを１にする。
【００６７】
ＣｏＭＰ  ＵＥは、サービスを提供するセルに、サービスを提供するセルの広帯域ＳＲＳ（ＳＶＤ（特異値分解）を通じて狭帯域かつコード化された行列
【００６８】
【数１３】
2014506086.tif 000015
を実装）、および協調セルのＰＭＩを報告する。協調セルのＣＳＩ報告は、
【００６９】
【数１４】
2014506086.tif 000016
として記録される。
【００７０】
２の参照信号ポートｓ１、ｓ２は、
【００７１】
【数１５】
2014506086.tif 000017
をそれぞれ使用してサービスを提供する基地局および協調基地局によって割り当てられ、それぞれプリコーディングされ、重畳されることによってＵＥに送信される。
【００７２】
ＵＥは、第３のチャネル状態情報ＰＭＩωをフィードバックする。特に、ωは２つのセル間の位相差を表すスカラーでもよい。
【００７３】
最後に、サービスを提供するセルは、これらの２つのセル
【００７４】
【数１６】
2014506086.tif 000018
の最終的なＰＭＩを回復する。
【００７５】
ＭＵ−ＭＩＭＯについて、基地局は、一般的に、各ＵＳに対応する最終的なＰＭＩに基づいてプリコーディングする。複数のＵＥのプリコーディング行列は、各ＵＥに対応する最終的なＰＭＩを変形することによって取得することができる。実装は、ＢＤ（ブロック対角化）、最大ＳＬＲ、およびＲＺＦＢＦ（標準ゼロ・フォーシング・ビームフォーミング：Ｒｅｇｕｌａｒ  Ｚｅｒｏ−Ｆｏｒｃｉｎｇ  ＢｅａｍＦｏｒｍｉｎｇ）を含む。ＲＺＦＢＦを使用する例は、以下のように記述され、この例では暗黙的なＣＱＩ／ＰＭＩを使用している。
【００７６】
ｊ番目のＵＥについて、単一のユーザ・ランク１の最終的なＰＭＩは、
【００７７】
【数１７】
2014506086.tif 000019
として記録され、ＣＱＩ報告はＣＱＩｊである。プリコーディング・ベクトル
【００７８】
【数１８】
2014506086.tif 000020
は、コードブックによって規定された、プリコーディング部分空間（ｐｒｅｃｏｄｉｎｇ  ｓｕｂｓｐａｃｅ）に投影されたプリコーディング・ベクトルの量子化を表し、
【００７９】
【数１９】
2014506086.tif 000021
は、ノイズ／干渉が考えられる投影エネルギーを示している。
【００８０】
ＵＥの仮説的な各組み合わせについて、複数ユーザのビームフォーミングのプリコーディング行列Ｆは、以下の式によって取得することができる：
Ｆ＝［Ｆ１  Ｆ３］＝ＶＨ（Ｖ  ＶＨ＋ρＩ）−１
式中、
【００８１】
【数２０】
2014506086.tif 000022
であり、ρは、正則化要素（ｒｅｇｕｌａｒｉｚｉｎｇ  ｆａｃｔｏｒ）である（たとえば、幾何学／ＳＮＲのヒューリスティック関数、または定数）。ｊ番目のＵＥの複数ユーザのプリコーディング・ベクトルは、正規化されたＦのｋ列目である。
【００８２】
本発明の利点は、ＵＥによってグローバルなＣＳＩ−ＲＳをフィードバックすることなく、ローカルのプリコーディング信号を本質的に組み合わせることである。
【００８３】
発明者は、本発明の実装形態の性能のコンピュータ・シミュレーションを実行し、シミュレーションに使用されたパラメータは、以下の表１に示されている。
【００８４】
【表１】
2014506086.tif 000023
【００８５】
図２は、本発明および既存の共同プロセス解決策の性能曲線を示している。これから見ることができるのは、本発明の性能は、ローカルの共同プロセスより高く、本発明のＣＳＩフィードバック・オーバヘッドは、グローバルな共同プロセスを下回り、これにより、性能とフィードバック・オーバヘッドとの間でより良好なバランスが得られることである。
【００８６】
当業者であれば、記述、開示、図、および添付された特許請求の範囲を検討することで、開示された実施形態への変更形態を理解して実現することができるであろう。「含む（ｃｏｍｐｒｉｓｉｎｇ）」という言葉は、特許請求の範囲または記述に記載されていない要素またはステップの存在を除外するものではない。要素の前にある「１つの（ａ）」または「１つの（ａｎ）」という言葉は、そのような要素が複数存在することを除外するものではない。本発明の実施において、特許請求の範囲に記載の複数の技術的特徴を１つの構成要素によって具体化することができる。特許請求の範囲では、括弧の間に配置された引用符号は、範囲を限定するものとして解釈されないものとする。
【図２】
2014506086.tif 000024
【図１】
2014506086.tif 000025
【国際調査報告】
2014506086.tif 000026
2014506086.tif 000027